(57)【特許請求の範囲】
【請求項１】
剛体とみなせる透明な材料で板状に形成され、左右方向の両端部にそれぞれ被係合部を有するレンズ部材と、
細長い弾性体で構成されたバンドと、
剛体とみなせる材料で構成されて前記バンドの両端に設けられ、それぞれが前記被係合部に着脱自在に係合する一対の係合部材と、
弾性変形可能な材料で前後方向へ延びる筒状に形成され、前側に前記レンズ部材を保持する環状の保持部を有し、後ろ側に装着者の顔面に接触する環状の接触部を有するフレーム部材と、を備え、
前記レンズ部材は、前記保持部に保持されるレンズ本体部と、このレンズ本体部の左右方向の両端部からそれぞれ後ろ側へ突出している突出部とを有し、
この各突出部に前記被係合部がそれぞれ設けられ、
前記レンズ本体部を前記保持部に保持させた状態で、前記突出部が前記フレーム部材の内側に位置し、
前記一対の係合部材は、前記バンドの端が接続された当接部が、前記フレーム部材の外側に当接し、前記当接部から突出するように設けられた軸部が前記フレーム部材と前記突出部とを貫通し、前記軸部の、前記当接部と反対側に設けられた係止部が前記突出部の内側に当接した状態で前記フレーム部材と前記突出部とを挟持している、
ことを特徴とするゴーグル。
【請求項２】
請求項１に記載のゴーグルにおいて、
前記レンズ本体部は、周縁に複数の係止溝を有し、
前記フレーム部材は、前記保持部の底に、前記係止溝に嵌合する複数の係止突起を有している、
ことを特徴とするゴーグル。
【請求項３】
請求項１または請求項２に記載のゴーグルにおいて、
前記レンズ部材を前記保持部に保持させた状態で、前記各突出部の上側に位置している前記レンズ本体部の側方上側部位と前記各突出部の下側に位置している前記レンズ本体部の側方下側部位とが前記フレーム部材に接触し、
前記ゴーグルを装着者が装着した状態で、左側の前記側方上側部位と左側の前記側方下側部位とが前記フレーム部材の左端部を前記装着者の顔面へ押圧し、右側の前記側方上側部位と右側の前記側方下側部位とが前記フレーム部材の右端部を前記装着者の顔面へ押圧する、
ことを特徴とするゴーグル。
【発明の詳細な説明】
【技術分野】
【０００１】
この発明は、目の部分を覆って目の回りを保護するゴーグルに関するものである。
【背景技術】
【０００２】
埃が多く発生したり、液体などの飛沫が発生する作業を行う場合、埃や飛沫などが目に入らないように保護するため、または、スキー競技を行う場合、雪で反射される太陽光や、飛来物などが目に入らないように保護するため、または、溶接工事を行う場合、有害光線や飛来物が目に入らないように保護するため、ゴーグルが使用されている。
【０００３】
上記したゴーグルとして、レンズ部材と、前後方向へ延びる筒状に形成され、前側にレンズ部材を保持する保持部を有し、後ろ側に装着者の顔面に接触する接触部を有するとともに、左右方向の両端にそれぞれバンド通し孔が設けられたフレーム部材と、両端がフレーム部材の両バンド通し孔に直接装着されるバンドとを構成部品とするものが提案されている（第１のゴーグル）。
【０００４】
この第１のゴーグルは、少ない部品点数、すなわち、レンズ部材、フレーム部材、バンドの３部品で構成されている。
【０００５】
また、レンズ部材と、前後方向へ延びる筒状に形成され、前側にレンズ部材を保持する保持部を有し、後ろ側に装着者の顔面に接触する接触部を有するとともに、左右方向の両端にそれぞれ係止凹部が設けられたフレーム部材と、バンドと、このバンドの両端にそれぞれ設けられ、フレーム部材の係止凹部にそれぞれ係合する一対（２つ）の係合部材とを構成部品（少なくとも５部品）とするゴーグルが提案されている（第２のゴーグル）。
【０００６】
この第２のゴーグルは、各係合部材をフレーム部材の係止凹部に係合させることによってバンドの取付が容易に行え、各係合部材をフレーム部材の係止凹部から取り外すことによってバンドの取り外しが容易に行えるので、バンドの交換が容易に行える。
【０００７】
また、レンズ部材と、前後方向へ延びる筒状に形成され、前側にレンズ部材を保持する保持部を有し、後ろ側に装着者の顔面に接触する接触部を有するフレーム部材と、このフレーム部材の左右方向の両端にそれぞれ設けられた係止部材と、バンドと、このバンドの両端にそれぞれ設けられ、係止部材にそれぞれ係合する一対（２つ）の係合部材とを構成部品（少なくとも７部品）とするゴーグルが提案されている（第３のゴーグル）。
【０００８】
この第３のゴーグルは、各係合部材を係止部材に係合させることによってバンドの取付が容易に行え、各係合部材を係止部材から取り外すことによってバンドの取り外しが容易に行えるので、バンドの交換が容易に行える。
【０００９】
また、レンズ部材と、前後方向へ延びる筒状に形成され、前側にレンズ部材を保持する保持部を有し、左右方向の両端にそれぞれ係止凹部を有するフレーム部材と、このフレーム部材の後ろ側に設けられた環状のスポンジパッドと、バンドと、このバンドの両端にそれぞれ設けられ、フレーム部材の係止凹部にそれぞれ係合する一対（２つ）の係合部材とを構成部品（少なくとも６部品）とするゴーグルが提案されている（第４のゴーグル）（例えば、特許文献１参照）。
【００１０】
この第４のゴーグルは、各係合部材をフレーム部材の係止部に係合させることによってバンドの取付が容易に行え、各係合部材をフレーム部材の係止部から取り外すことによってバンドの取り外しが容易に行えるので、バンドの交換が容易に行える。
【先行技術文献】
【特許文献】
【００１１】
【特許文献１】特開２００８−２００２６５号公報
【発明の概要】
【発明が解決しようとする課題】
【００１２】
上記した第１のゴーグルは、部品点数が少ないものの、バンドの取付、取り外しを行う際、バンドをフレーム部材のバンド通し孔に挿通したり、バンド通し孔からバンドを取り外さなければならないので、バンドの交換が行いづらい（難い）という不都合がある。
【００１３】
上記した第２のゴーグルおよび第４のゴーグルは、弾性変形可能な材料で形成されたフレーム部材の係合凹部に係合部材が係合するので、係合部材のフレーム部材への係合部分（係止凹部部分）に、バンドの引っ張り応力が作用することにより、フレーム部材の係合凹部部分が破損し易くなる。このため、係合部材と、フレーム部材の係合凹部との接触面積を大きくする必要があり、係合部材が大形化するとともに、ゴーグルも大形化する。
【００１４】
上記した第３のゴーグルは、弾性変形可能な材料で形成されたフレーム部材に係止部材が設けられているので、係止部材のフレーム部材への取付部分に、バンドの引っ張り応力が作用することにより、係止部材が取り付けられているフレーム部材の取付部分が破損し易くなる。このため、係止部材を大きくしてフレーム部材との接触面積を大きくする必要があり、係止部材が大形化するとともに、ゴーグルも大形化する。
さらに言えば、この第３のゴーグルは、部品点数が少なくとも６点と多いため、製造工程も多く、その分製造コストも高くなってしまう。
【００１５】
また、上記した各ゴーグルは、レンズ部材がフレーム部材の保持部にしか保持され（係合し）ていないので、レンズ部材が保持部から外れると、レンズ部材とフレーム部材とがばらばらになってしまうという不都合がある。
【００１６】
この発明は、上記した不都合を解消するためになされたもので、部品点数が少なく、フレーム部材が破損し難く、バンドの交換（着脱）を容易に行うことのできるゴーグルを提供するものである。
【課題を解決するための手段】
【００１７】
請求項１に記載のゴーグルは、剛体とみなせる透明な材料で板状に形成され、左右方向の両端部にそれぞれ被係合部を有するレンズ部材と、細長い弾性体で構成されたバンドと、剛体とみなせる材料で構成されて前記バンドの両端に設けられ、それぞれが前記被係合部に着脱自在に係合する一対の係合部材と、弾性変形可能な材料で前後方向へ延びる筒状に形成され、前側に前記レンズ部材を保持する環状の保持部を有し、後ろ側に装着者の顔面に接触する環状の接触部を有するフレーム部材と、を備え、前記レンズ部材は、前記保持部に保持されるレンズ本体部と、このレンズ本体部の左右方向の両端部からそれぞれ後ろ側へ突出している突出部とを有し、この各突出部に前記被係合部がそれぞれ設けられ、前記レンズ本体部を前記保持部に保持させた状態で、前記突出部が前記フレーム部材の内側に位置し、前記一対の係合部材は、前記バンドの端が接続された当接部が、前記フレーム部材の外側に当接し、前記当接部から突出するように設けられた軸部が前記フレーム部材と前記突出部とを貫通し、前記軸部の、前記当接部と反対側に設けられた係止部が前記突出部の内側に当接した状態で前記フレーム部材と前記突出部とを挟持していることを特徴とする。
【００１８】
請求項２に記載のゴーグルは、請求項１に記載のゴーグルにおいて、前記レンズ本体部は、周縁に複数の係止溝を有し、前記フレーム部材は、前記保持部の底に、前記係止溝に嵌合する複数の係止突起を有していることを特徴とする。
【００１９】
請求項３に記載のゴーグルは、請求項１または請求項２に記載のゴーグルにおいて、前記レンズ部材を前記保持部に保持させた状態で、前記各突出部の上側に位置している前記レンズ本体部の側方上側部位と前記各突出部の下側に位置している前記レンズ本体部の側方下側部位とが前記フレーム部材に接触し、前記ゴーグルを装着者が装着した状態で、左側の前記側方上側部位と左側の前記側方下側部位とが前記フレーム部材の左端部を前記装着者の顔面へ押圧し、右側の前記側方上側部位と右側の前記側方下側部位とが前記フレーム部材の右端部を前記装着者の顔面へ押圧することを特徴とする。
【発明の効果】
【００２０】
この発明によれば、レンズ部材と、バンドと、一対（２つ）の係合部材と、フレーム部材とでゴーグルを構成することができるので、すなわち、従来例の第３のゴーグルよりも２部品少ない５部品でゴーグルを構成することができるので、ゴーグルを安価に製造することができるとともに、ゴーグルの組立を容易に行うことができる。
また、一対の係合部材が弾性変形可能な材料で構成されたフレーム部材だけでなく、剛性を備えたレンズ部材にも係合しているので、フレーム部材が破損し難くなる。
また、一対の係合部材がレンズ部材の被係合部に着脱自在に係合しているので、バンドの交換（着脱）を容易に行うことができる。
【図面の簡単な説明】
【００２１】
【図１】この発明の一実施例であるゴーグルの斜視図である。
【図２】図１に示したゴーグルの分解斜視図である。
【図３】図１に示したレンズ部材を示す図で、（ａ）は正面図、（ｂ）は平面図、（ｃ）は右側面図である。
【図４】図１に示した装着バンドの右側係合部材部分を示す図で、（ａ）は右側面図、（ｂ）は平面図、（ｃ）は左側面図である。
【図５】図１に示したフレーム部材を示す図で、（ａ）は正面図、（ｂ）は平面図、（ｃ）は右側面図である。
【図６】（ａ）は図１の６Ａ−６Ａ線による断面図、（ｂ）は図１の６Ｂ−６Ｂ線による断面図である。
【図７】（ａ）はレンズ部材をフレーム部材の保持部に保持させる前の状態を示す説明図、（ｂ）はレンズ部材をフレーム部材の保持部に保持させた状態を示す説明図である。
【図８】（ａ）はレンズ部材の被係合部に装着バンドの係合部材を係合させる前の状態を示す説明図、（ｂ）はレンズ部材の被係合部に装着バンドの係合部材を係合させた状態を示す説明図である。
【図９】この発明の参考例であるゴーグルの分解斜視図である。
【発明を実施するための形態】
【００２２】
以下、この発明の実施例を、図面を参照して説明する。
【００２３】
まず、この発明のゴーグルの一実施例の構成について説明する。
【００２４】
図１および図２に示すように、ゴーグル１は、左右対称に形成されたレンズ部材１１と、装着バンド２１と、左右対称に形成されたフレーム部材３１とで構成されている。
【００２５】
レンズ部材１１は、前側に凸状で、後ろ側に凹状をした円弧状で、左右方向よりも高さ方向が短く、鼻に対応する下側の中央部分が上側へ凹んだ左右対称形状で、主に装着者の左右の目を保護するレンズ本体部１２と、このレンズ本体部１２の左右方向（横方向）の両端にそれぞれ後ろ側へ突出するように設けられた矩形状の左、右側突出部１６Ｌ，１６Ｒとが、剛体とみなせる透明な材料、例えば、ポリカーボネートなどのように硬くて剛性の高い透明な樹脂、ガラスで一定の厚さを有する板状に射出成型によって一体成型されている。
【００２６】
そして、レンズ本体部１２には、図２または図３に示すように、上辺と下辺とに、内側へ拡開した凹部を有する被係止溝１３がそれぞれ複数設けられるとともに、下辺中央の上側へ凹んだ部分（鼻に対応する部分）に、内側へ拡開した凹部を有する被係止凹部１４が設けられている。
そして、レンズ本体部１２の左側突出部１６Ｌの上側に位置している部位を左側側方上側部位１２ＬＵとし、レンズ本体部１２の左側突出部１６Ｌの下側に位置している部位を左側側方下側部位１２ＬＤとし、レンズ本体部１２の右側突出部１６Ｒの上側に位置している部位を右側側方上側部位１２ＲＵとし、レンズ本体部１２の右側突出部１６Ｒの下側に位置している部位を右側側方下側部位１２ＲＤとする。
【００２７】
そして、右側突出部１６Ｒには、図２および図３に示すように、被係合部としての右側係合孔１７Ｒが設けられている。
この右側係合孔１７Ｒは、前側から後ろ側へ、例えば、水平方向に対して５０度〜６０度で上昇する長孔１７ａと、この長孔１７ａの長さ方向の中心に設けられた、長孔１７ａの短軸の直径よりも少し長い直径の丸孔１７ｂとで構成されている。
なお、左側突出部１６Ｌにも、右側突出部１６Ｒと同様に、前側から後ろ側へ、例えば、水平方向に対して５０度〜６０度で上昇する長孔１７ａと、この長孔１７ａの長さ方向の中心に設けられた、長孔１７ａの短軸の直径よりも少し長い直径の丸孔１７ｂとからなる左側係合孔１７Ｌが設けられている。
【００２８】
装着バンド２１は、図２に示すように、バンドとしてのバンド本体部２２と、剛体とみなせる材料、例えば、金属や樹脂で構成されてバンド本体部２２の両端に着脱可能に設けられ（取り付けられ）、それぞれがレンズ部材１１の左、右側係合孔１７Ｌ，１７Ｒに着脱可能に係合する、側面視左右方向に頂点を有する二等辺三角形形状の左、右側（一対の）係合部材２６Ｌ，２６Ｒとで構成されている。
【００２９】
そして、バンド本体部２２は、細長い弾性体、例えば、ゴムバンドで構成されたバンド本体２３と、このバンド本体２３の長さ方向の全長を調整する長さ調整部材２４とで構成されている。
【００３０】
そして、右側係合部材２６Ｒには、図２および図４に示すように、バンド本体２３を接続するために底辺と平行な上下方向へ延びるスリット２７Ｒが後端に設けられるとともに、レンズ部材１１の右側係合孔１７Ｒと対向する面の頂部に右側係合部２８Ｒが設けられている。
この右側係合部２８Ｒは、レンズ部材１１の丸孔１７ｂの直径よりも短く、長孔１７ａの短軸の直径よりも長い直径で、全長にわたって前後に分割するスリット（すり割り）が設けられた軸部２８ａと、この軸部２８ａの根本から右側突出部１６Ｒの厚さにフレーム部材３１の側面の厚さを加えた厚さ(長さ)よりも少し長い距離離れた先端側から前後方向へそれぞれ、軸部２８ａの直径で、丸孔１７ｂの直径よりも少し長く延びた係止部２８ｂとで構成されている。
【００３１】
なお、左側係合部材２６Ｌにも、右側係合部材２６Ｒと同様に、バンド本体２３を接続するために底辺と平行な上下方向へ延びるスリット２７Ｌが後端に設けられるとともに、レンズ部材１１の左側係合孔１７Ｌと対向する面の頂部に、レンズ部材１１の丸孔１７ｂの直径よりも短く、長孔１７ａの短軸の直径よりも長い直径で、全長にわたって前後に分割するスリット（すり割り）が設けられた軸部２８ａと、この軸部２８ａの根本から左側突出部１６Ｌの厚さにフレーム部材３１の側面の厚さを加えた厚さ(長さ)よりも少し長い距離離れた先端側から前後方向へそれぞれ、軸部２８ａの直径で、丸孔１７ｂの直径よりも少し長く延びた係止部２８ｂとからなる左側係合部２８Ｌが設けられている。
【００３２】
上記した装着バンド２１は、バンド本体２３の両端に、左、右側係合部材２６Ｌ，２６Ｒを縫い付けるなどの方法によって着脱可能に設ける（取り付ける）構成としてもよい。
【００３３】
フレーム部材３１は、図２および図５に示すように、前縁および後ろ縁が前側に凸状で、後ろ側に凹状をした円弧状で、左右方向よりも高さ方向が短く、鼻に対応する下側の中央部分が上側へ凹んだ左右対称形状で、前後方向へ延びた筒状部３２と、この筒状部３２の前側内周にレンズ部材１１のレンズ本体部１２を保持する環状の保持部３７と、筒状部３２の後ろ側に装着者の顔面に接触（当接）する環状の接触部４２とが、弾性変形可能な材料、例えば、シリコンゴムなどの柔らかい樹脂や硬質ゴムで一体成型されている。
【００３４】
そして、筒状部３２の左、右側面には、保持部３７にレンズ部材１１のレンズ本体部１２を保持させた状態で、左、右側係合孔１７Ｌ，１７Ｒに連通する、左、右側係合孔１７Ｌ，１７Ｒと同じ形状（同じ構成）の左、右側挿通孔３５Ｌ，３５Ｒ（左側挿通孔３５Ｌの図示は省略されている。）が設けられるとともに、この左、右側挿通孔３５Ｌ，３５Ｒの丸孔３５ｂを中心として周面３６ａが側面視後ろ側へ上下対称の扇形状で開放し、左、右側係合部材２６Ｌ，２６Ｒの一部を収容する左、右側収容凹部３６Ｌ，３６Ｒ（左側収容凹部３６Ｌの図示は省略されている。）が外側に開放して設けられている。
この左、右側挿通孔３５Ｌ，３５Ｒは、前側から後ろ側へ、例えば、水平方向に対して５０度〜６０度で上昇する長孔１７ａと同じ長孔３５ａと、この長孔３５ａの長さ方向の中心に設けられた、長孔３５ａ（長孔１７ａ）の短軸の直径よりも少し長い直径の、丸孔１７ｂと同じ丸孔３５ｂとで構成されている。
【００３５】
そして、保持部３７は、レンズ部材１１のレンズ本体部１２の外周に係合して保持する、例えば、周回する溝３８で構成され、この溝３８の底には、レンズ部材１１の被係止溝１３に嵌合する係止突起３９と、レンズ部材１１の被係止凹部１４に嵌合する係止突部４０とが設けられている。
なお、溝３８を構成（形成）する内側壁の、レンズ部材１１の左、右側突出部１６Ｌ，１６Ｒに対応する部分は、切除されている。
【００３６】
そして、接触部４２には、鼻に対応する部分に、フィットし易くするためのスリット４３が１本または複数本設けられるとともに、メガネのテンプル（腕、ツル）に対応する部分に左、右側収容凹部４４Ｌ，４４Ｒが設けられている。
【００３７】
次に、ゴーグル１の組立方の一例について説明する。
【００３８】
まず、フレーム部材３１の保持部３７を上下左右に拡開させながら、図７（ａ）および図７（ｂ）に示すように、溝３８の中へ、レンズ部材１１を構成するレンズ本体部１２の外周を収容させ、係止突起３９に被係止溝１３を対向させるとともに、係止突部４０に被係止凹部１４を対向させる。
【００３９】
そして、保持部３７部分をレンズ本体部１２側へ全周にわたって押圧することにより、係止突起３９を被係止溝１３に係合させるとともに、係止突部４０を被係止凹部１４に係合させると、図６（ａ）に示すように、レンズ本体部１２を保持部３７に、容易に離脱しないように保持させることができる。
【００４０】
このように、レンズ本体部１２を保持部３７に保持させると、左、右側側方上側部位１２ＬＵ，１２ＲＵおよび左、右側側方下側部位１２ＬＤ，１２ＲＤが保持部３７の溝３８の底に接触（当接）し、図６（ｂ）および図７（ｂ）に示すように、左、右側突出部１６Ｌ，１６Ｒが保持部３７から後ろ側でフレーム部材３１の内側へ突出し、左側係合孔１７Ｌと左側挿通孔３５Ｌとが重なるとともに、右側係合孔１７Ｒと右側挿通孔３５Ｒとが重なる。
【００４１】
このように、左側係合孔１７Ｌに左側挿通孔３５Ｌが重なり、右側係合孔１７Ｒに右側挿通孔３５Ｒが重なった状態で、長孔３５ａ，１７ａの長軸方向に係止部２８ｂを対応させるとともに、丸孔３５ｂ，１７ｂに軸部２８ａを対応させて左、右側係合部２８Ｌ，２８Ｒを左、右側挿通孔３５Ｌ，３５Ｒ、左、右側係合孔１７Ｌ，１７Ｒへ、左、右側係合部材２６Ｌ，２６Ｒが筒状部３２に当接するまで挿通する。
【００４２】
このように、左、右側係合部２８Ｌ，２８Ｒを左、右側係合孔１７Ｌ，１７Ｒへ挿通すると、左、右側係合部材２６Ｌ，２６Ｒの一部が左、右側収容凹部３６Ｌ，３６Ｒの外側のフレーム部材３１の側面に当接するので、さらに左、右側係合部材２６Ｌ，２６Ｒをフレーム部材３１側へ押圧して左、右側係合部材２６Ｌ，２６Ｒ（またはフレーム部材３１）を歪（撓）ませることにより、係止部２８ｂが左、右側突出部１６Ｌ，１６Ｒの内側へ突出する。
【００４３】
この状態で、左側係合部材２６Ｌを、軸部２８ａを中心にして反時計方向へ回動するとともに、図８（ａ）および図８（ｂ）に示すように、右側係合部材２６Ｒを、軸部２８ａを中心にして時計方向へ回動することにより、左側係合部材２６Ｌと係止部２８ｂとで左側突出部１６Ｌおよび筒状部３２を挟持するとともに、左側係合部材２６Ｌが左側収容凹部３６Ｌ内に入り、また、図６（ｂ）に示すように、右側係合部材２６Ｒと係止部２８ｂとで右側突出部１６Ｒおよび筒状部３２を挟持するとともに、右側係合部材２６Ｒが右側収容凹部３６Ｒ内に入るので、図１の状態に組み立てることができる。
【００４４】
この状態で、左、右側係合部材２６Ｌ，２６Ｒが軸部２８ａを中心にして回動しても、長孔３５ａ，１７ａの長軸方向に係止部２８ｂが重なる前に左、右側係合部材２６Ｌ，２６Ｒが左、右側収容凹部３６の周壁３６ａに当接するので、装着バンド２１をレンズ部材１１に、容易に離脱しないように取り付けることができる。
【００４５】
そして、左、右側係合部材２６Ｌ，２６Ｒを、軸部２８ａを中心にして回動させて左、右側係合部材２６Ｌ，２６Ｒが左、右側収容凹部３６の周壁３６ａに当接した状態で、強い力で左、右側係合部材２６Ｌ，２６Ｒをさらに回動させると、フレーム部材３１が歪（撓）むことにより、左、右側係合部材２６Ｌ，２６Ｒがフレーム部材３１の側面に乗りあがると、長孔３５ａ，１７ａの長軸方向に係止部２８ｂが重なるので、左、右側係合部材２６Ｌ，２６Ｒをレンズ部材１１から容易に脱着することができる。
【００４６】
上記のようにして組み立てたゴーグル１の長さ調整部材２４を操作してバンド本体部２２（バンド本体２３）の装着力（バンド本体部２２の全長）を調整した後、接触部４２を顔面の目の回りに当接させるとともに、スリット４３部分を鼻に対応させた上で、バンド本体部２２を後頭部に沿わせることにより、ゴーグル１を装着することができる。
【００４７】
ゴーグル１を装着すると、装着者の顔面における目および目の回り（鼻を除く部分）は、レンズ本体部１２と、フレーム部材３１とで覆われる。
そして、装着者の頭の後に沿わせた装着バンド２１によってレンズ部材１１が後ろ側へ引っ張られることにより、レンズ本体部１２の左、右側側方上側部位１２ＬＵ，１２ＲＵおよび左、右側方下側部位１２ＬＤ，１２ＲＤがフレーム部材３１（保持部３７）を後ろ側へ押圧するとともに、レンズ本体部１２の曲面部分がフレーム部材３１（保持部３７）を後ろ側へ押圧し、フレーム部材３１（接触部４２）が装着者の顔面に密着する。
【００４８】
上述したように、この発明の一実施例によれば、レンズ部材１１と、バンド（バンド本体２３）と、左、右側係合部材２６Ｌ，２６Ｒと、フレーム部材３１とでゴーグル１を構成することができるので、すなわち、従来例の第３のゴーグルよりも１部品少ない５部品でゴーグル１を構成することができるので、ゴーグル１を安価に製造することができるとともに、ゴーグル１の組立を容易に行うことができる。
また、左、右側係合部材２６Ｌ，２６Ｒが弾性変形可能な材料で構成されたフレーム部材３１でなく、剛性を備えたレンズ部材１１に係合しているので、フレーム部材３１が破損し難くなる。
【００４９】
また、左、右側係合部材２６Ｌ，２６Ｒがレンズ部材１１に着脱自在に係合しているので、バンドの交換（着脱）を容易に行うことができる。
また、バンド部材２１をレンズ部材１１に取り付けた状態で、左、右側係合部材２６Ｌ，２６Ｒが軸部２８ａを中心にして回動しても、長孔３５ａ，１７ａの長軸方向に係止部２８ｂが重なる前に左、右側係合部材２６Ｌ，２６Ｒが左、右側収容凹部３６の周壁３６ａに当接するので、装着バンド２１をレンズ部材１１に、容易に離脱しないように着脱自在に取り付けることができる。
【００５０】
また、ゴーグル１を装着した場合、装着バンド２１が左右の両端部でレンズ部材１１をバランスよく後ろ側に引っ張ることにより、フレーム部材３１もバランスよく後ろ側に押され、フレーム部材３１が装着者の顔面をバランスよくほぼ均一な圧力で押圧するので、装着者が違和感なく安定した状態でゴーグル１を装着することができる。
また、レンズ部材１１の左、右側突出部１６Ｌ，１６Ｒに左、右側係合孔１７Ｌ，１７Ｒを設け、装着バンド２１に左、右側係合部材２６Ｌ，２６Ｒを設けて装着バンド２１をレンズ部材１１に取り付ける構成にするとともに、レンズ部材１１の左、右側突出部１６Ｌ，１６Ｒをフレーム部材３１の内側に位置させたので、フレーム部材３１の外側に露出する部分が少なくなって、デザイン性が向上するとともに見栄えがよくなり、シール性も向上するとともに、レンズ部材１１が保持部３７から外れても、レンズ部材１１が左、右側突出部１６Ｌ，１６Ｒに係合しているので、レンズ部材１１とフレーム部材３１とがばらばらにならなくなる。
【００５１】
また、ゴーグル１を装着した状態で、左側側方上側部位１２ＬＵと左側側方下側部位１２ＬＤとがフレーム部材３１の左端部（保持部３７）を装着者の顔面へ押圧し、右側側方上側部位１２ＲＵと右側側方下側部位１２ＲＤとがフレーム部材３１の右端部（保持部３７）を装着者の顔面へ押圧する構成にしたので、フレーム部材３１にバランスよく装着者の顔面への押圧力が加わり、良好な装着感を得ることができる。
また、フレーム部材３１に左、右収容凹部４４Ｌ，４４Ｒを設けたので、ゴーグル１を装着することによってメガネのテンプルが側頭部へ押されることがなくなり、装着感を向上させることができる。
【００５２】
図９はこの発明の参考例であるゴーグルの分解斜視図であり、図１〜図８と同一または相当部分に同一符号を付し、その説明を省略する。
なお、装着バンドは、左、右側係合部材のみを図示した。
【００５３】
図９に示すゴーグル１が図１〜図８に示したゴーグル１と異なるところは、レンズ本体部１２と、突出部としての左、右側突出部材１６ＡＬ，１６ＡＲとを別体にした点と、筒状部３２の左、右端部に、左、右側突出部材１６ＡＬ，１６ＡＲを前側から挿入して収容する左、右側収容凹部３３Ｌ，３３Ｒ（左側収容凹部３３Ｌの図示は省略されている。）を設けた点と、筒状部３２の左、右側収容凹部３３Ｌ，３３Ｒを設けた内側の一部（左、右側突出部材１６ＡＬ，１６ＡＲの左、右側係合孔１７Ｌ，１７Ｒに対応する部分）を肉抜きとした点とである。
なお、保持部３７は、完全に周回した溝３８にしてもよい。
【００５４】
左側突出部１６Ｌと同じ材料で、左側突出部１６Ｌと同じ厚さの矩形状に形成された左側突出部材１６ＡＬには、左側係合孔１７Ｌ（長孔１７ａと、丸孔１７ｂとで構成されている。）が設けられるとともに、上、下辺に突出した抜け止め係止部としての係止突起１８Ｌが設けられている。
左側突出部材１６ＡＬと同様に、左側突出部１６Ｌと同じ材料で、左側突出部１６Ｌと同じ厚さの矩形状に形成された右側突出部材１６ＡＲには、右側係合孔１７Ｒ（長孔１７ａと、丸孔１７ｂとで構成されている。）が設けられるとともに、上、下辺に突出した抜け止め係止部としての係止突起１８Ｒが設けられている。
【００５５】
左側収容凹部３３Ｌを設けた筒状部３２の部分（左側面）には、左側収容凹部３３Ｌに左側突出部材１６ＡＬを収容させた状態で、左側係合孔１７Ｌに重なる左側挿通孔３５Ｌ（長孔３５ａと、丸孔３５ｂとで構成されている。）（左側係合孔３５Ｌの図示は省略されている。）が設けられるとともに、左側収容凹部３３Ｌに左側突出部材１６ＡＬを収容させた状態で、各係止突起１８Ｌが係合する抜け止め被係合部としての抜け止め孔３４Ｌ（図示は省略されている。）が上下に設けられている。
右側収容凹部３３Ｒを設けた筒状部３２の部分（右側面）には、右側収容凹部３３Ｒに右側突出部材１６ＡＲを収容させた状態で、右側係合孔１７Ｒに重なる右側挿通孔３５Ｒ（長孔３５ａと、丸孔３５ｂとで構成されている。）が設けられるとともに、右側収容凹部３３Ｒに右側突出部材１６ＡＲを収容させた状態で、各係止突起１８Ｒが係合する抜け止め被係合部としての抜け止め孔３４Ｒ（下側の抜け止め孔３４Ｒの図示は省略されている。）が上下に設けられている。
【００５６】
次に、ゴーグル１の組立方の一例について説明する。
【００５７】
まず、フレーム部材３１の保持部３７を上下左右に拡開させながら溝３８の中へ、レンズ部材１１を構成するレンズ本体部１２の外周を収容させ、係止突起３９に被係止溝１３を対向させるとともに、係止突部４０に被係止凹部１４を対向させる。
【００５８】
そして、保持部３７部分をレンズ本体部１２側へ全周にわたって押圧することにより、係止突起３９を被係止溝１３に係合させるとともに、係止突部４０を被係止凹部１４に係合させると、レンズ本体部１２を保持部３７に、容易に離脱しないように保持させることができる。
【００５９】
そして、左側収容凹部３３Ｌ内へ左側突出部材１６ＡＬを挿入して収容させることにより、各係止突起１８Ｌが対応する抜け止め孔３４Ｌに係合し、左側突出部材１６ＡＬを左側収容凹部３３Ｌ内に、容易に離脱しないように収容させることができる。
また、右側収容凹部３３Ｒ内へ右側突出部材１６ＡＲを挿入して収容させることにより、各係止突起１８Ｒが対応する抜け止め孔３４Ｒに係合し、右側突出部材１６ＡＲを右側収容凹部３３Ｒ内に、容易に離脱しないように収容させることができる。
【００６０】
このように、左、右側収容凹部３３Ｌ，３３Ｒ内に左、右側突出部材１６ＡＬ，１６ＡＲを収容させると、左側係合孔１７Ｌと左側挿通孔３５Ｌとが重なるとともに、右側係合孔１７Ｒと右側挿通孔３５Ｒとが重なる。
【００６１】
以後は、先の実施例と同様な手順で左、右側係合部材２６Ｌ，２６Ｒを取り付けることにより、装着バンド２１をレンズ部材１１に、容易に離脱しないように取り付けることができる。
【００６２】
上記のようにして組み立てたゴーグル１は、図１〜図８に示したゴーグル１と同様に操作して装着することができ、同様な効果を得ることができる。
【００６３】
上記した実施例および参考例において、被係合部としての左、右側係合孔１７Ｌ，１７Ｒを左、右側突出部１６Ｌ，１６Ｒまたは左、右側突出部材１６ＡＬ，１６ＡＲに設け、係合部としての左、右側係合部２８Ｌ，２８Ｒを左、右側係合部材２６Ｌ，２６Ｒに設けた例を示したが、左、右側突出部１６Ｌ，１６Ｒまたは左、右側突出部材１６ＡＬ，１６ＡＲに係合部としての左、右側係合部を設け、左、右側係合部材２６Ｌ，２６Ｒに被係合部としての左、右側係合孔を設ける構成としても、同様に機能する。
【００６４】
また、バンド本体部２２と左、右側係合部材２６Ｌ，２６Ｒとを別体とした例を示したが、バンド本体部の両端に、剛体とみなせる材料で構成された左、右側係合部材２６Ｌ，２６Ｒを縫い付けるなどの方法によって着脱可能に取り付ける構成にしてもよい。
【００６５】
また、実施例において、左、右側突出部１６Ｌ，１６Ｒをフレーム部材３１の内側に位置させた例を示したが、左、右側突出部１６Ｌ，１６Ｒをフレーム部材３１の外側に位置させる構成としても、同様な効果を得ることができる。
この場合、左、右側係合部材２６Ｌ，２６Ｒの左、右側係合部２８Ｌ，２８Ｒは、左、右側突出部１６Ｌ，１６Ｒの左、右側係合孔１７Ｌ，１７Ｒのみに係合させても、左、右側係合孔部１７Ｌ，１７Ｒおよびフレーム部材３１の左、右側挿通孔３５Ｌ，３５Ｒに係合させてもよい。
【００６６】
また、参考例において、レンズ本体部１２と左、右側係合部材２６Ｌ，２６Ｒとを一体成型し、左、右側係合部材２６Ｌ，２６Ｒとを左、右側収容凹部３３Ｌ，３Ｒ内に収容させる構成にすると、この発明の変形例とすることができる。
【符号の説明】
【００６７】
１        ゴーグル
１１      レンズ部材
１２      レンズ本体部
１２ＬＵ  左側側方上側部位
１２ＬＤ  左側側方下側部位
１２ＲＵ  右側側方上側部位
１２ＲＤ  右側側方下側部位
１３      被係止溝
１４      被係止凹部
１６Ｌ    左側突出部
１６Ｒ    右側突出部
１６ＡＬ  左側突出部材
１６ＡＲ  右側突出部材
１７Ｌ    左側係合孔（被係合部）
１７Ｒ    右側係合孔（被係合部）
１７ａ    長孔
１７ｂ    丸孔
１８Ｌ    係止突起（抜け止め係止部）
１８Ｒ    係止突起（抜け止め係止部）
２１      装着バンド
２２      バンド本体部
２３      バンド本体
２４      長さ調整部材
２６Ｌ    左側係合部材
２６Ｒ    右側係合部材
２７Ｌ    スリット
２７Ｒ    スリット
２８Ｌ    左側係合部
２８Ｒ    右側係合部
２８ａ    軸部
２８ｂ    係止部
３１      フレーム部材
３２      筒状部
３３Ｒ    右側収容凹部
３４Ｌ    抜け止め孔（抜け止め被係合部）
３４Ｒ    抜け止め孔（抜け止め被係合部）
３５Ｒ    右側挿通孔
３５ａ    長孔
３５ｂ    丸孔
３６Ｒ    右側収容凹部
３６ａ    周面
３７      保持部
３８      溝
３９      係止突起
４０      係止突部
４２      接触部
４３      スリット
４４Ｌ    左側収容凹部
４４Ｒ    右側収容凹部
【図１】
0005396316.tif 000002
【図２】
0005396316.tif 000003
【図３】
0005396316.tif 000004
【図４】
0005396316.tif 000005
【図５】
0005396316.tif 000006
【図６】
0005396316.tif 000007
【図７】
0005396316.tif 000008
【図８】
0005396316.tif 000009
【図９】
0005396316.tif 000010